(57)【要約】【課題】バックフリップカバーが容易に脱落しないＦＰＣ用のコネクタを提供する。【解決手段】コネクタ１０は、ＦＰＣ１が挿入される開口２１及び段差２２が形成されるハウジング２と、段差２２を開閉するバックフリップカバー３と、を備える。ハウジング２はコンタクト４・５を交互に並設配置する。コンタクト４・５は、固定アーム４１・５１と、弾性アーム４２・５２と、固定アーム４１・５１及び弾性アーム４２・５２を連結する連結脚４３・５３と、弾性アーム４２・５２と相反する向きに延びる係合アーム４４・５４を有する。係合アーム４４・５４に対向する第１及び第２対向アーム４５・５５を有する。バックフリップカバー３はカム部３４・３５を有する。第１コンタクト４の突部４５ｂがカム部３４を離間困難に阻止すると共に、第２コンタクト５の鉤部５４ａが第２カム部３５を離間困難に阻止する。【選択図】図１２
2009277398.tif 000002
【特許請求の範囲】
【請求項１】
一方の端部にＦＰＣを挿入する開口を形成し、他方の端部に段差を形成する直方体状のハウジングと、このハウジングの段差を開閉可能に覆う矩形板状のバックフリップカバーと、を備えるコネクタであって、
前記ハウジングは、交互に並設配置される第１コンタクト及び第２コンタクトを内部に備え、
前記第１コンタクトは、前記ハウジングに固定される第１固定アームと、この第１固定アームに対向する第１弾性アームと、前記第１固定アーム及び前記第１弾性アームの基端同士を連結する第１連結脚と、前記第１弾性アームと相反する向きに延びて前記段差に突出する第１係合アームと、前記第１固定アームと相反する向きに延びて前記第１係合アームに対向する第１対向アームと、を有し、
前記第２コンタクトは、前記ハウジングに固定される第２固定アームと、この第２固定アームに対向する第２弾性アームと、前記第２固定アーム及び前記第２弾性アームの基端同士を連結する第２連結脚と、前記第２弾性アームと相反する向きに延びる第２係合アームと、前記第２固定アームと相反する向きに延びて前記第２係合アームに対向する第２対向アームと、を有し、
前記第１対向アームは、前記第１係合アームの先端部に向かって隆起する突部を有し、
前記第２係合アームは、前記ハウジングの段差の底面に向かう鉤部を先端側に有し、
前記バックフリップカバーは、前記第１係合アームと前記第１対向アームとの間に回動可能に保持される第１カム部と、前記第２係合アームと前記段差の底面との間に回動可能に保持される第２カム部と、を有し、
前記第１カム部は、前記バックフリップカバーを閉じると前記第１係合アームを押して前記第１弾性アームの先端部を前記第１固定アームに対して閉じ、前記バックフリップカバーを開くと前記第１係合アームが追従して前記第１弾性アームの先端部を前記第１固定アームに対して開く第１カム面を設け、
前記第２カム部は、前記バックフリップカバーを閉じると前記第２係合アームを押して前記第２弾性アームの先端部を前記第２固定アームに対して閉じ、前記バックフリップカバーを開くと前記第２係合アームが追従して前記第２弾性アームの先端部を前記第２固定アームに対して開く第２カム面を設け、
前記突部が前記第１カム部を離間困難に阻止すると共に、前記鉤部が前記第２カム部を離間困難に阻止するコネクタ。
【請求項２】
前記第１固定アームは、前記第１弾性アームに対向する第３弾性アームを有し、前記第２固定アームは、前記第２弾性アームに対向する第４弾性アームを有する請求項１記載のコネクタ。
【請求項３】
前記第１コンタクトは、前記ハウジングの段差から前記ＦＰＣの挿入方向に延出して底面がプリント基板にハンダ接合される第１リード部を有し、
前記第２コンタクトは、前記ハウジングの開口から前記ＦＰＣの反挿入方向に延出して底面が前記プリント基板にハンダ接合される第２リード部を有する請求項１又は２記載のコネクタ。
【請求項４】
一方の端部にＦＰＣを挿入する開口を形成し、他方の端部に段差を形成する直方体状のハウジングと、
このハウジングの段差を開閉可能に覆う矩形板状のバックフリップカバーと、
前記ハウジングの内部に交互に並設配置される第１コンタクト及び第２コンタクトと、を備えるコネクタの組み立て方法であって、
前記第１コンタクトは、前記ハウジングに固定される第１固定アームと、この第１固定アームに対向する第１弾性アームと、前記第１固定アーム及び前記第１弾性アームの基端同士を連結する第１連結脚と、前記第１弾性アームと相反する向きに延びて前記段差に突出する第１係合アームと、前記第１固定アームと相反する向きに延びて前記第１係合アームに対向する第１対向アームと、を有し、
前記第２コンタクトは、前記ハウジングに固定される第２固定アームと、この第２固定アームに対向する第２弾性アームと、前記第２固定アーム及び前記第２弾性アームの基端同士を連結する第２連結脚と、前記第２弾性アームと相反する向きに延びる第２係合アームと、前記第２固定アームと相反する向きに延びて前記第２係合アームに対向する第２対向アームと、を有し、
前記第１対向アームは、前記第１係合アームの先端部に向かって隆起する突部を有し、
前記第２係合アームは、前記ハウジングの段差の底面に向かう鉤部を先端側に有し、
前記バックフリップカバーは、前記第１係合アームと前記第１対向アームとの間に回動可能に保持される第１カム部と、前記第２係合アームと前記段差の底面との間に回動可能に保持される第２カム部と、を有し、
前記第１固定アームを前記段差から前記ＦＰＣの反挿入方向に挿入して、当該第１コンタクトを前記ハウジングに完全に組み込む第１工程と、
前記第２対向アームを前記ハウジングの開口から前記ＦＰＣの挿入方向に挿入して、前記第２係合アームが前記段差に僅かに突出する程度に当該第２コンタクトを前記ハウジングに仮挿入する第２工程と、
前記ハウジングに対して前記バックフリップカバーが開いた状態を維持しながら、前記第１カム部が前記突部を乗り越えると共に前記第１係合アームを弾性変形させて、前記第１カム部を前記第１コンタクトに係合させる第３工程と、
前記ハウジングに対して前記バックフリップカバーが開いた状態を維持しながら、前記第２コンタクトを前記ハウジングの開口から前記ＦＰＣの挿入方向に更に挿入して、前記第２係合アームが弾性変形して前記鉤部が前記第２カム部を乗り越えて、前記第２カム部を前記第２コンタクトに係合させる第４工程と、を含むコネクタの組み立て方法。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルと接続するコネクタに関する。本明細書は平形柔軟ケーブルを総称してＦＰＣと呼称することとし、本発明は、特に、ＦＰＣの挿抜時にほとんど力を必要としない、いわゆるＺＩＦ（Ｚｅｒｏ  Ｉｎｓｅｒｔｉｏｎ  Ｆｏｒｃｅ）タイプのＦＰＣ用のコネクタに関する。
【背景技術】
【０００２】
近年の電子機器、例えば、ＤＶＣ（Ｄｉｇｉｔａｌ  Ｖｉｄｅｏ  Ｃａｍｅｒａ）及びＤＳＣ（Ｄｉｇｉｔａｌ  Ｓｔｉｌｌ  Ｃａｍｅｒａ）や携帯電話機とＰＤＡ（Ｐｅｒｓｏｎａｌ  Ｄｉｇｉｔａｌ  Ａｓｓｉｓｔａｎｃｅ）に代表される携帯型情報機器に実装される電子部品モジュールやプリント基板間を接続するには、平型柔軟ケーブルであるＦＰＣが使用されている。
【０００３】
プリント基板に表面実装されるＦＰＣ用のコネクタ、いわゆる表面実装型のＦＰＣ用のコネクタは、例えば、ＦＰＣが挿入される開口が形成されたハウジングと、このハウジングに所定のピッチで横並びに装着された複数のコンタクトを備えている。このＦＰＣ用のコネクタは、ＦＰＣとこれらのコンタクトとを接触させるために、コンタクトの接点を閉じるバックロック型のカバーを備えている。
【０００４】
プリント基板に表面実装されるＦＰＣ用のコネクタは実装密度を上げるべく、実装高さを低くすること（低背化）が求められており、この表面実装型のＦＰＣ用のコネクタに配列されるコンタクトも多ピン化、狭ピッチ化が進行している。そして、このような低背化を可能とするＦＰＣ用のコネクタが発明されている（例えば、特許文献１参照）。
【０００５】
特許文献１によるＦＰＣ用のコネクタは、ＦＰＣが挿入される開口を前方に有し、上面が開放された段差を後方に有する絶縁性のハウジングと、段差を開閉するバックロック型のカバーと、ハウジングの内部に配列される複数の二股コンタクトと、を備えている。そして、複数の二股コンタクトがＦＰＣと電気的に接続することができる。
【０００６】
この二股コンタクトは、ハウジングに保持され連結部を設ける帯板状の基部と、上腕と下腕からなり下腕が連結部を介して基部に連結し、開口内に開閉自在に配置されるコンタクト部と、このコンタクト部の上腕と相反側に突出して設けられて略Ｕ字状の溝が形成される二股の係合アームと、を有している。
【０００７】
又、カバーは、両端部がハウジングの両翼に回動自在に保持される回転軸と、この回転軸と一体に構成される略方形板状の握持部と、回転軸の周囲に配列されて係合アームと連結してカム装置を構成する第１の板カムと、を有している。更に、第１の板カムは、係合アームの一方を押し下げる肉厚に輪郭形成される部分と、係合アームの一方と対向する肉薄に輪郭形成される部分と、を含んでいる。
【０００８】
そして、カバーを開けると、肉厚に輪郭形成される部分が係合アームの一方を押し下げることにより、上腕が連動して上方に変位して、コンタクト部を開いた状態にできる。一方、カバーを閉じると、肉薄に輪郭形成される部分が係合アームの一方に対向することにより、上腕が連動して復帰して、コンタクト部を閉じた状態に復帰することができる。
【０００９】
特許文献１によるＦＰＣ用のコネクタは、コンタクトの耐用を向上させると共に、バックロック式のカバーの開閉状態を確実に維持できるＦＰＣ用のＺＩＦコネクタを提供している。
【特許文献１】特開２００５−１０８４６４号公報
【発明の開示】
【発明が解決しようとする課題】
【００１０】
特許文献１によるＦＰＣ用のコネクタは、バックロック式（バックフリップタイプともいう）のカバーに設けられた回動軸の両翼が一対の補強タブで支持されている。そして、一対の補強タブがプリント基板にハンダ接合されることによって、コネクタのハンダ接合強度を補強している。
【００１１】
ここで、一対の補強タブを用いることなく、バックフリップタイプのＦＰＣ用コネクタを構成できれば、部品点数が削減できて、原価低減に寄与するので好ましい。又、一対の補強タブを用いることなく、バックフリップタイプのＦＰＣ用コネクタを構成できれば、ハウジングの横幅を縮小できて、つまり、プリント基板の占有面積を縮小でき、他の電子部品を実装するスペースも確保できる。いわゆる、プリント基板への電子部品の過密実装が可能になる。
【００１２】
しかし、近年のＦＰＣ用コネクタは、極度の低背化が要求されている。例えば、ＦＰＣ用コネクタのプリント基板への実装高さが「１．２ｍｍ」程度以下であると、バックプリップタイプのカバーがコネクタ本体から脱落（分離）することが懸念される。したがって、一対の補強タブを用いることなく、バックプリップタイプのカバーがコネクタ本体から容易に脱落しない低背のＦＰＣ用コネクタが求められている。そして、以上のことが本発明の課題といってよい。
【００１３】
本発明は、このような問題に鑑みてなされたものであり、バックプリップタイプのカバーが容易に脱落しないＦＰＣ用のコネクタであって、バックプリップタイプのカバーの回動中心を両翼で回動可能に支持する一対の補強タブを不要とするコネクタを提供することを目的とする。
【課題を解決するための手段】
【００１４】
発明者は、上記目的を満たすため、ハウジングに交互に並設配置される第１及び第２コンタクトの形状を創意工夫することにより、バックプリップタイプのカバーが容易に脱落しないことを見出し、これに基づいて、以下のような新たなＦＰＣ用のコネクタを発明した。
【００１５】
（１）  一方の端部にＦＰＣを挿入する開口を形成し、他方の端部に段差を形成する直方体状のハウジングと、このハウジングの段差を開閉可能に覆う矩形板状のバックフリップカバーと、を備えるコネクタであって、前記ハウジングは、交互に並設配置される第１コンタクト及び第２コンタクトを内部に備え、前記第１コンタクトは、前記ハウジングに固定される第１固定アームと、この第１固定アームに対向する第１弾性アームと、前記第１固定アーム及び前記第１弾性アームの基端同士を連結する第１連結脚と、前記第１弾性アームと相反する向きに延びて前記段差に突出する第１係合アームと、前記第１固定アームと相反する向きに延びて前記第１係合アームに対向する第１対向アームと、を有し、前記第２コンタクトは、前記ハウジングに固定される第２固定アームと、この第２固定アームに対向する第２弾性アームと、前記第２固定アーム及び前記第２弾性アームの基端同士を連結する第２連結脚と、前記第２弾性アームと相反する向きに延びる第２係合アームと、前記第２固定アームと相反する向きに延びて前記第２係合アームに対向する第２対向アームと、を有し、前記第１対向アームは、前記第１係合アームの先端部に向かって隆起する突部を有し、前記第２係合アームは、前記ハウジングの段差の底面に向かう鉤部を先端側に有し、前記バックフリップカバーは、前記第１係合アームと前記第１対向アームとの間に回動可能に保持される第１カム部と、前記第２係合アームと前記段差の底面との間に回動可能に保持される第２カム部と、を有し、前記第１カム部は、前記バックフリップカバーを閉じると前記第１係合アームを押して前記第１弾性アームの先端部を前記第１固定アームに対して閉じ、前記バックフリップカバーを開くと前記第１係合アームから離間して前記第１弾性アームの先端部を前記第１固定アームに対して開く第１カム面を設け、前記第２カム部は、前記バックフリップカバーを閉じると前記第２係合アームを押して前記第２弾性アームの先端部を前記第２固定アームに対して閉じ、前記バックフリップカバーを開くと前記第２係合アームから離間して前記第２弾性アームの先端部を前記第２固定アームに対して開く第２カム面を設け、前記突部が前記第１カム部を離間困難に阻止すると共に、前記鉤部が前記第２カム部を離間困難に阻止するコネクタ。
【００１６】
（１）の発明によるコネクタは、直方体状のハウジングと矩形板状のバックフリップカバーを備えている。ハウジングは、一方の端部にＦＰＣを挿入する開口を形成し、他方の端部に段差を形成している。バックフリップカバーは、ハウジングの段差を開閉可能に覆っている。そして、ハウジングは、交互に並設配置される第１コンタクト及び第２コンタクトを内部に備えている。
【００１７】
第１コンタクトは、第１固定アーム、第１弾性アーム、第１連結脚、第１係合アーム、及び第１対向アームを有している。第１固定アームはハウジングに固定されている。第１弾性アームは第１固定アームに対向している。第１連結脚は、第１固定アーム及び第１弾性アームの基端同士を連結している。第１係合アームは、第１弾性アームと相反する向きに延びており、段差に突出している。第１対向アームは、第１固定アームと相反する向きに延びており、第１係合アームに対向している。
【００１８】
第２コンタクトは、第２固定アーム、第２弾性アーム、第２連結脚、第２係合アーム、及び第２対向アームを有している。第２固定アームはハウジングに固定されている。第２弾性アームは第２固定アームに対向している。第２連結脚は、第２固定アーム及び第２弾性アームの基端同士を連結している。第２係合アームは、第２弾性アームと相反する向きに延びている。第２対向アームは、第２固定アームと相反する向きに延びており、第２係合アームに対向している。
【００１９】
第１対向アームは、第１係合アームの先端部に向かって隆起する突部を有している。又、第２係合アームは、ハウジングの段差の底面に向かう鉤部を先端側に有している。バックフリップカバーは、第１カム部と第２カム部を有している。第１カム部は、第１係合アームと第１対向アームとの間に回動可能に保持されている。第２カム部は、第２係合アームと段差の底面との間に回動可能に保持されている。
【００２０】
第１カム部は、第１カム面を設けている。第１カム面は、バックフリップカバーを閉じると第１係合アームを押して第１弾性アームの先端部を第１固定アームに対して閉じる。一方、第１カム面は、バックフリップカバーを開くと第１係合アームが追従して第１弾性アームの先端部を第１固定アームに対して開く。
【００２１】
第２カム部は、第２カム面を設けている。第２カム面は、バックフリップカバーを閉じると第２係合アームを押して第２弾性アームの先端部を第２固定アームに対して閉じる。一方、第２カム面は、バックフリップカバーを開くと第２係合アームが追従して第２弾性アームの先端部を第２固定アームに対して開く。
【００２２】
そして、突部が第１カム部を離間困難に阻止すると共に、鉤部が第２カム部を離間困難に阻止している。
【００２３】
一般に、ＦＰＣは、絶縁性のポリエステルやポリイミドで形成されるベースフィルムに導体パターンとなる銅箔が接着されている。導体パターンは絶縁被膜で被覆されているが、ＦＰＣの端部は、例えば、コネクタに備わるコンタクトと導電接触するために導体パターンが露出している。本発明によるコネクタに適用されるＦＰＣは、ベースフィルムの片面に導体パターンが備わる片面ＦＰＣが好ましく、片面ＦＰＣの端部はベースフィルムの片面に導体パターンが露出している。
【００２４】
ハウジングは絶縁性を有してよく、絶縁性のハウジングとは、非導電性の材料からなるハウジングのことであってよく、例えば、合成樹脂を成型して、所望の形状の絶縁性のハウジングを得ることができる。
【００２５】
ハウジングは、ＦＰＣが挿入されるために、一方の端部に長方形の開口を有してよく、薄直方体状の閉じられた凹部にＦＰＣが挿入される。ＦＰＣは、凹部の開口側から停止壁に向って挿入されてよく、この凹部を形成する対向する一対の内壁がＦＰＣの幅方向を案内して、複数の第１及び第２コンタクトと位置合わせされる。ハウジングの凹部に挿入されたＦＰＣは、停止壁に当接して停止してよく、ＦＰＣの挿入深さが規定される。停止壁には、複数の第１及び第２連結脚が配置されてよく、櫛の歯状に極間壁が形成される。
【００２６】
ハウジングの凹部には、第１固定アームと第１弾性アームが対向配置されてよく、第２固定アームと第２弾性アームが対向配置されてよく、後述するように、バックフリップカバーを開いた状態では、第１固定アームと第１弾性アームは開いてよく、第２固定アームと第２弾性アームは開いてよく、このコネクタは、ＦＰＣを開口に挿抜するときにほとんど力を必要としない、ＺＩＦコネクタを構成している。
【００２７】
バックフリップカバーは絶縁性を有してよく、絶縁性のバックフリップカバーとは、非導電性の材料からなるバックフリップカバーのことであってよく、例えば、合成樹脂を成型して、所望の形状の絶縁性のバックフリップカバーを得ることができる。
【００２８】
バックフリップカバーが段差を開閉可能に覆うとは、ＦＰＣが挿入されるべく、段差を覆うバックフリップカバーを開いてよく、複数の第１及び第２コンタクトとＦＰＣが導電接触すべく、バックフリップカバーが閉じて、段差を覆うことを意味している。カバーハウジングが閉じたときに、閉姿勢を維持するために、このコネクタにロック機構を設けてもよい。
【００２９】
ハウジングには、他方の端部の段差から一方の端部の開口に向けて、縦長の第１矩形溝（スリット）が櫛の歯状に複数形成されてよく、この第１矩形溝に第１コンタクトが配置される。又、一方の端部の開口から他方の端部の段差に向けて、縦長の第２矩形溝（スリット）が櫛の歯状に複数形成されてよく、他方の端部の段差から一方の端部の開口に向けて形成された縦長の第３矩形溝（スリット）が第２矩形溝に連通してよく、この第２矩形溝に第２コンタクトが配置される。そして、第１コンタクトと第２コンタクトとは、交互に並設配置される。
【００３０】
例えば、これら縦長の第１及び第２矩形溝には、第１及び第２コンタクトの挿入を容易するため、挿入側に僅かに傾斜する面取りを形成してよく、面取り以降の矩形溝の幅は、第１及び第２コンタクトの板厚より僅かに広くなっており、第１及び第２固定アームを除く部位がハウジングに傾動可能に配置されるといってもよい。第１及び第２コンタクトの挿入端部には、バーブ（刺）を形成してよく、このバーブが第１及び第２矩形溝の終端に食い込むように圧入される。
【００３１】
第１及び第２コンタクトは、導通を有してよく、導通を有するコンタクトとは、導電性の材料からなるコンタクトのことであってよく、例えば、銅合金板が精密打ち抜き加工されて、所望の形状のコンタクトを得ることができる。しかし、第１及び第２コンタクトは、銅合金に限定されない。
【００３２】
第１及び第２固定アームと第１及び第２弾性アームとは、２本のアームによって向かい合った方向に接触力を加える音叉形をした、いわゆる音叉形コンタクトであってよく、音叉形コンタクトは二股コンタクトとも呼ばれる。第１及び第２固定アームと第１及び第２弾性アームとは、互いに向かい合う突起を設けてよく、これら突起にＦＰＣが挟持されて、接触力を加えることができる。そして、いずれか一方の突起をＦＰＣに接続する接点とすることができる。
【００３３】
第１係合アームは、第１弾性アームと相反する向きに片持ち梁状に段差に突出してよく、バックフリップカバーの第１カム部は、隅部が円弧で形成された略直角三角形の第１板カムであってよく、この第１板カムは、バックフリップカバーを閉じると第１係合アームを押し、バックフリップカバーを開くと第１係合アームが追従する第１カム面（輪郭）を設けている。
【００３４】
ここで、第１係合アームとバックフリップカバーの第１カム部とは、従動節となる第１係合アームがカムとなる第１板カムの輪郭に追従して揺動する、いわゆる揺り腕カム装置（平面カム）を構成している。
【００３５】
第２係合アームは、第２弾性アームと相反する向きに片持ち梁状に段差に突出してよく、バックフリップカバーの第２カム部は、隅部が円弧で形成された略直角三角形の第２板カムであってよく、この第２板カムは、バックフリップカバーを閉じると第２係合アームを押し、バックフリップカバーを開くと第２係合アームが追従する第２カム面（輪郭）を設けている。
【００３６】
ここで、第２係合アームとバックフリップカバーの第２カム部とは、従動節となる第２係合アームがカムとなる第２板カムの輪郭に追従して揺動する、いわゆる揺り腕カム装置（平面カム）を構成している。
【００３７】
バックフリップカバーの第１及び第２カムは、仮想の回転中心を有してよく、バックフリップカバーを開くと、第１及び第２カム面は第１及び第２係合アームの弾性復帰に追従して、第１及び第２弾性アームの先端部を第１及び第２固定アームに対して開いている。そして、ＦＰＣを無負荷で挿入できる。
【００３８】
バックフリップカバーを閉じると、第１及び第２カム面が第１及び第２係合アームを押して第１及び第２弾性アームを傾けることができる。つまり、第１及び第２連結脚が弾性変形して、第１及び第２弾性アームの先端部を第１及び第２固定アームに対して閉じることができる。そして、ＦＰＣを挟持できる。
【００３９】
ここで、第１及び第２弾性アームと第１及び第２係合アームとは一体に傾いてよく、第１及び第２連結脚を支点としてよく、第１及び第２係合アームを力点としてよく、第１及び第２弾性アームの先端部を作用点とすることができる。バックフリップカバーを開くと、第１及び第２連結脚が弾性復帰して第１及び第２弾性アームの先端部を第１及び第２固定アームに対して開くことができる。そして、ＦＰＣを無負荷で挿入できる。
【００４０】
（１）の発明によるコネクタは、バックフリップカバーに設けられた仮想の開閉軸を第１コンタクトと第２コンタクトとで交互に保持しているので、仮想の開閉軸が軸方向の中央部で容易に弾性変形しない。すなわち、多極のコネクタであっても、ロックカバーが容易に脱落しないバックフリップタイプのＦＰＣ用のコネクタを提供できる。
【００４１】
バックフリップカバーを開いた状態で、バックフリップカバーを遠心方向に引くと、第１及び第カム部が第１及び第２係合アームに当接して、バックフリップカバーの離脱が阻止される。バックフリップカバーを押すと、第１及び第カム部が第１対向アーム及び段差の底面に当接してバックフリップカバーの離脱が阻止される。
【００４２】
バックフリップカバーを開いた状態から閉じる過程では、突部が第１カム部を離間困難に阻止すると共に、鉤部が第２第カム部を離間困難に阻止するので、バックフリップカバーは回転する運動のみが許容される。バックフリップカバーを閉じた状態で、バックフリップカバーを遠心方向に引くと、突部が第１カム部を離間困難に阻止すると共に、鉤部が第２カム部を離間困難に阻止するので、バックフリップカバーの離脱が阻止される。
【００４３】
（１）の発明によるコネクタは、バックフリップカバーが第１コンタクトの突部と第２コンタクトの鉤部とで離間困難に交互に保持される仮想の開閉軸を有しているので、従来のような、バックフリップカバーの回動中心の両翼を回動可能に支持する一対の補強部材を不要とするコネクタを提供できる。
【００４４】
（２）  前記第１固定アームは、前記第１弾性アームに対向する第３弾性アームを有し、前記第２固定アームは、前記第２弾性アームに対向する第４弾性アームを有する（１）記載のコネクタ。
【００４５】
（２）の発明によるコネクタは、第３弾性アームの先端部に接点を設けてよく、第４弾性アームの先端部に接点を設けてよく、第３弾性アーム又は第４弾性アームを適宜に設計すれば、所定の接触圧力を得ることができる。
【００４６】
（１）の発明によるコネクタが主として、第１及び第２弾性アームの先端部に設けられた接点がＦＰＣの導体パターンに接触する、片面ＦＰＣ用のコネクタを提供しているのに対し、（２）の発明によるコネクタは、第３及び第４弾性アームの先端部に設けられた接点がＦＰＣの導体パターンに接触する、片面ＦＰＣ用のコネクタを提供できる。なお、第３及び第４弾性アームの先端部に設けられた可動接点は、第１及び第２弾性アームの先端部に向かって第１及び第２固定アームから隆起する固定接点とすることもできる。
【００４７】
（３）  前記第１コンタクトは、前記ハウジングの段差から前記ＦＰＣの挿入方向に延出して底面がプリント基板にハンダ接合される第１リード部を有し、前記第２コンタクトは、前記ハウジングの開口から前記ＦＰＣの反挿入方向に延出して底面が前記プリント基板にハンダ接合される第２リード部を有する（１）又は（２）記載のコネクタ。
【００４８】
（３）の発明によるコネクタは、第１コンタクトが第１リード部を有している。第２コンタクトが第２リード部を有している。第１リード部は、ハウジングの段差からＦＰＣの挿入方向に延出して、第１リード部の底面がプリント基板にハンダ接合される。第２リード部は、ハウジングの開口からＦＰＣの反挿入方向に延出して、第２リード部の底面がプリント基板にハンダ接合される。
【００４９】
（３）の発明によるコネクタは、複数の第１及び第２リード部がプリント基板にハンダ接合されることによって、このコネクタがプリント基板に表面実装されるプリント基板用コネクタを実現している。
【００５０】
（３）の発明によるコネクタは、第１リード部と第２リード部とが相反する向きに分散されるので、第１及び第２リード部が一方向に延出している場合と比較して、第１及び第２リード部に接続されるパターン間のピッチを拡大できる。特に、パターン間のピッチが０．２ｍｍ程度の狭ピッチの場合は有効である。
【００５１】
（４）  一方の端部にＦＰＣを挿入する開口を形成し、他方の端部に段差を形成する直方体状のハウジングと、このハウジングの段差を開閉可能に覆う矩形板状のバックフリップカバーと、前記ハウジングの内部に交互に並設配置される第１コンタクト及び第２コンタクトと、を備えるコネクタの組み立て方法であって、前記第１コンタクトは、前記ハウジングに固定される第１固定アームと、この第１固定アームに対向する第１弾性アームと、前記第１固定アーム及び前記第１弾性アームの基端同士を連結する第１連結脚と、前記第１弾性アームと相反する向きに延びて前記段差に突出する第１係合アームと、前記第１固定アームと相反する向きに延びて前記第１係合アームに対向する第１対向アームと、を有し、前記第２コンタクトは、前記ハウジングに固定される第２固定アームと、この第２固定アームに対向する第２弾性アームと、前記第２固定アーム及び前記第２弾性アームの基端同士を連結する第２連結脚と、前記第２弾性アームと相反する向きに延びる第２係合アームと、前記第２固定アームと相反する向きに延びて前記第２係合アームに対向する第２対向アームと、を有し、前記第１対向アームは、前記第１係合アームの先端部に向かって隆起する突部を有し、前記第２係合アームは、前記ハウジングの段差の底面に向かう鉤部を先端側に有し、前記バックフリップカバーは、前記第１係合アームと前記第１対向アームとの間に回動可能に保持される第１カム部と、前記第２係合アームと前記段差の底面との間に回動可能に保持される第２カム部と、を有し、前記第１固定アームを前記段差から前記ＦＰＣの反挿入方向に挿入して、当該第１コンタクトを前記ハウジングに完全に組み込む第１工程と、前記第２対向アームを前記ハウジングの開口から前記ＦＰＣの挿入方向に挿入して、前記第２係合アームが前記段差に僅かに突出する程度に当該第２コンタクトを前記ハウジングに仮挿入する第２工程と、前記ハウジングに対して前記バックフリップカバーが開いた状態を維持しながら、前記第１カム部が前記突部を乗り越えると共に前記第１係合アームを弾性変形させて、前記第１カム部を前記第１コンタクトに係合させる第３工程と、前記ハウジングに対して前記バックフリップカバーが開いた状態を維持しながら、前記第２コンタクトを前記ハウジングの開口から前記ＦＰＣの挿入方向に更に挿入して、前記第２係合アームが弾性変形して前記鉤部が前記第２カム部を乗り越えて、前記第２カム部を前記第２コンタクトに係合させる第４工程と、を含むコネクタの組み立て方法。
【００５２】
（４）の発明によるコネクタの組み立て方法は、コネクタが直方体状のハウジングと矩形板状のバックフリップカバーと複数の第１コンタクト及び第２コンタクトを備えている。ハウジングは、一方の端部にＦＰＣを挿入する開口を形成し、他方の端部に段差を形成している。バックフリップカバーは、ハウジングの段差を開閉可能に覆っている。第１コンタクト及び第２コンタクトは、ハウジングの内部に交互に並設配置されている。
【００５３】
第１コンタクトは、第１固定アーム、第１弾性アーム、第１連結脚、第１係合アーム、及び第１対向アームを有している。第１固定アームはハウジングに固定されている。第１弾性アームは第１固定アームに対向している。第１連結脚は、第１固定アーム及び第１弾性アームの基端同士を連結している。第１係合アームは、第１弾性アームと相反する向きに延びており、段差に突出している。第１対向アームは、第１固定アームと相反する向きに延びており、第１係合アームに対向している。
【００５４】
第２コンタクトは、第２固定アーム、第２弾性アーム、第２連結脚、第２係合アーム、及び第２対向アームを有している。第２固定アームはハウジングに固定されている。第２弾性アームは第２固定アームに対向している。第２連結脚は、第２固定アーム及び第２弾性アームの基端同士を連結している。第２係合アームは、第２弾性アームと相反する向きに延びている。第２対向アームは、第２固定アームと相反する向きに延びており、第２係合アームに対向している。
【００５５】
第１対向アームは、第１係合アームの先端部に向かって隆起する突部を有している。又、第２係合アームは、ハウジングの段差の底面に向かう鉤部を先端側に有している。バックフリップカバーは、第１カム部と第２カム部を有している。第１カム部は、第１係合アームと第２対向アームとの間に回動可能に保持されている。第２カム部は、第２係合アームと段差の底面との間に回動可能に保持されている。
【００５６】
（４）の発明によるコネクタの組み立て方法は、第１工程から第４工程を含んでいる。第１工程では、第１固定アームを段差からＦＰＣの反挿入方向に挿入して、第１コンタクトをハウジングに完全に組み込む。第２工程では、第２対向アームをハウジングの開口からＦＰＣの挿入方向に挿入して、第２係合アームが段差に僅かに突出する程度に第２コンタクトをハウジングに仮挿入する。
【００５７】
第３工程では、ハウジングに対してバックフリップカバーが開いた状態を維持しながら、第１カム部が突部を乗り越えると共に第１係合アームを弾性変形させて、第１カム部を第１コンタクトに係合させる。第４工程は、ハウジングに対してバックフリップカバーが開いた状態を維持しながら、第２コンタクトをハウジングの開口からＦＰＣの挿入方向に更に挿入して、第２係合アームが弾性変形して鉤部が前記第２カム部を乗り越えて、第２カム部を第２コンタクトに係合させる。
【００５８】
（４）の発明によるコネクタの組み立て方法は、バックフリップカバーが第１コンタクトの突部と第２コンタクトの鉤部とで離間困難に交互に保持される仮想の開閉軸を有するコネクタを容易に組み立てることができる。（４）の発明によるコネクタの組み立て方法は、例えば、自動組立機に適用される。
【発明の効果】
【００５９】
本発明によるコネクタは、バックフリップカバーが第１コンタクトの突部と第２コンタクトの鉤部とで離間困難に交互に保持される仮想の開閉軸を有しているので、従来のような、バックフリップカバーの回動中心の両翼を回動可能に支持する一対の補強部材を不要とするコネクタを提供できる。
【発明を実施するための最良の形態】
【００６０】
以下、図面を参照して本発明を実施するための最良の形態を説明する。
【００６１】
図１は、本発明によるＦＰＣ用のコネクタ（以下、コネクタと略称する）の一実施形態を示す斜視外観図であり、バックフリップカバーが開いた状態を開口側から観ている。図２は、前記実施形態によるコネクタを示す斜視外観図であり、バックフリップカバーが開いた状態を段差側から観ている。図３は、前記実施形態によるコネクタの斜視断面図であり、第１コンタクトの側面を断面としている。図４は、前記実施形態によるコネクタの斜視断面図であり、第２コンタクトの側面を断面としている。
【００６２】
図５は、前記実施形態によるコネクタの斜視断面図であり、第１コンタクトの側面を図３と異なる方向から観ている。図６は、前記実施形態によるコネクタの斜視断面図であり、第２コンタクトの側面を図４と異なる方向から観ている。図７は、前記実施形態によるコネクタを示す斜視外観図であり、バックフリップカバーが閉じた状態を開口側から観ている。図８は、前記実施形態によるコネクタを示す斜視外観図であり、バックフリップカバーが閉じた状態を段差側から観ている。図９は、前記実施形態によるコネクタの背面図である。図１０は、前記実施形態によるコネクタの平面図である。
【００６３】
図１１は、前記実施形態によるコネクタの縦断面図であり、第１コンタクトの側面を断面として、バックフリップカバーが開いた状態図である。図１２は、前記実施形態によるコネクタの縦断面図であり、第２コンタクトの側面を断面として、バックフリップカバーが開いた状態図である。
【００６４】
図１３は、前記実施形態によるコネクタの縦断面図であり、第１コンタクトの側面を断面として、バックフリップカバーが閉じた状態図である。図１４は、前記実施形態によるコネクタの縦断面図であり、第２コンタクトの側面を断面として、バックフリップカバーが閉じた状態図である。
【００６５】
図１５は、前記実施形態によるコネクタの縦断面図であり、第１コンタクトの側面を断面として、ＦＰＣが挿入されてバックフリップカバーが閉じた状態図である。図１６は、前記実施形態によるコネクタの縦断面図であり、第２コンタクトの側面を断面として、ＦＰＣが挿入されてバックフリップカバーが閉じた状態図である。
【００６６】
図１７は、前記実施形態によるコネクタの縦断面図であり、第１コンタクトが完全に挿入された第１工程の状態図である。図１８は、前記実施形態によるコネクタの縦断面図であり、第２コンタクトが仮挿入された第２工程の状態図である。図１９は、前記実施形態によるコネクタの縦断面図であり、第１カム部を第１コンタクトに係合させる第３工程の前の状態図である。図２０は、前記実施形態によるコネクタの縦断面図であり、第１カム部を第１コンタクトに係合させる第３工程の前の状態図である。
【００６７】
最初に、本発明によるコネクタの構成を説明する。図１から図１０において、コネクタ１０は、直方体状のハウジング２と矩形板状のバックフリップカバー（以下、カバーと略称する）３を備えている。ハウジング２は、一方の端部にＦＰＣ１が挿入される開口２１が形成されており、他方の端部に段差２２が形成されている。ハウジング２は、交互に並設配置される第１コンタクト４及び第２コンタクト５を内部に備えている。
【００６８】
第１コンタクト４は、第１固定アーム４１、第１弾性アーム４２、第１連結脚４３、第１係合アーム４４、及び第１対向アーム４５を有している。第１固定アーム４１はハウジング２に固定されている。第１弾性アーム４２は、第１固定アーム４１に対向している。第１連結脚４３は、第１固定アーム４１及び第１弾性アーム４２の基端同士を連結している。第１係合アーム４４は、第１弾性アーム４２と相反する向きに延びている。第１対向アーム４５は、第１固定アーム４１と相反する向きに延びており、第１係合アーム４４に対向している。
【００６９】
第２コンタクト５は、第２固定アーム５１、第２弾性アーム５２、第２連結脚５３、第２係合アーム５４、及び第２対向アーム５５を有している。第２固定アーム５１はハウジング２に固定されている。第２弾性アーム５２は、第２固定アーム５１に対向している。第２連結脚５３は、第２固定アーム５１及び第２弾性アーム５２の基端同士を連結している。第２係合アーム５４は、第２弾性アーム５２と相反する向きに延びている。第２対向アーム５５は、第２固定アーム５１と相反する向きに延びており、第２係合アーム５４に対向している。
【００７０】
第１対向アーム４５は、第１係合アーム４４の先端部に向かって隆起する突部４５ｂを有している。第２係合アーム５４は、ハウジング２の段差２２の底面２２ａに向かう鉤部５４ａを先端側に有している。
【００７１】
又、カバー３は、第１カム部３４と第２カム部３５を有している。第１カム部３４は、第１係合アーム４４と第２対向アーム４５との間に回動可能に保持されている。第２カム部３５は、第２係合アーム４４と段差２２の底面２２ａとの間に回動可能に保持されている。
【００７２】
図３に示されるように、ハウジング２には、段差２２から開口２１に向けて、縦長の第１矩形溝（スリット）ｓ１が櫛の歯状に複数形成されている。そして、第１矩形溝ｓ１に第１コンタクト４が配置されている。
【００７３】
一方、図４に示されるように、ハウジング２には、開口２１から段差２２に向けて、縦長の第２矩形溝（スリット）ｓ２が櫛の歯状に複数形成されている。又、ハウジング２には、段差２２から開口２１に向けて、縦長の第３矩形溝（スリット）ｓ３が櫛の歯状に複数形成されている。第３矩形溝ｓ３は、第２矩形溝ｓ２に連通している。そして、第２矩形溝ｓ２に第２コンタクト５が配置されている。
【００７４】
又、図５に示されるように、カバー３には、スリット状の第１開口３１ｓが形成されている。第１開口３１ｓに第１係合アーム４４が挿入されている。そして、第１開口３１ｓを形成するカバー３の端部に、第１カム部３４が形成されている（図１１参照）。図１１に示されるように、第１カム部３４は、第１係合アーム４４と第２対向アーム５５との間に回動可能に保持されている。
【００７５】
一方、図５に示されるように、カバー３には、スリット状の第２開口３２ｓが形成されている。第２開口３２ｓに第２係合アーム５４が挿入されている。そして、第２開口３２ｓを形成するカバー３の端部に、第２カム部３５が形成されている（図１２参照）。図１２に示されるように、第２カム部３５は、第２係合アーム５４と段差２２の底面２２ａとの間に回動可能に保持されている。
【００７６】
ハウジング２は、ＦＰＣ１が挿入されるために、一方の端部に長方形の開口２１を有している。そして、薄直方体状の閉じられた凹部２３にＦＰＣ１が挿入される。ＦＰＣ１は、凹部２３の開口２１側から停止壁２４に向って挿入される（図１１及び図１２参照）。図１に示されるように、ＦＰＣ１の挿入を容易とするために、切り欠きを開口２１に設けている。
【００７７】
凹部２３を形成する対向する一対の内壁がＦＰＣ１の幅方向を案内して、複数の第１及び第２コンタクト４・５と位置合わせされる。ハウジング２の凹部２３に挿入されたＦＰＣ１は、停止壁２４に当接して停止してよく、ＦＰＣ１の挿入深さが規定される。停止壁２４には、複数の第１連結脚４３及び第２連結脚５３が配置されており、櫛の歯状に極間壁が形成されている（図１１及び図１２参照）。
【００７８】
図１１及び図１２において、第１固定アーム４１に設けられた第３弾性アーム４６と第１弾性アーム４２とは、対向配置されている。又、第２固定アーム５１に設けられた第４弾性アーム５６と第２弾性アーム５２とは、対向配置されている。カバー３を開いた状態では、第３弾性アーム４６に対して第１弾性アーム４２は開いており、第４弾性アーム５６に対して第２弾性アーム５２は開いている。コネクタ１０は、ＦＰＣ１を開口２１に挿抜するときにほとんど力を必要としない、ＺＩＦコネクタを構成している（図１参照）。
【００７９】
図１から図６において、ハウジング２には、段差２２から開口２１に向けて、第１矩形溝ｓ１に第１コンタクト４が圧入されている。一方、ハウジング２には、開口２１から段差２２に向けて、第２矩形溝ｓ２に第２コンタクト５が圧入されている。第１コンタクト４と第２コンタクト５とは、交互に並設配置されている。
【００８０】
図１から図６において、これら第１矩形溝ｓ１及び第２矩形溝ｓ２には、第１コンタクト４及び第２コンタクト５の挿入を容易するため、挿入側に僅かに傾斜する面取りが形成している。面取り以降の矩形溝の幅は、第１コンタクト４及び第２コンタクト５の板厚より僅かに広くなっており、第１固定アーム４１及び第２固定アーム５１を除く部位がハウジング２に傾動可能に保持されている。
【００８１】
図３において、第１固定アーム４１の先端部には、バーブ４１ｖが形成されている。バーブ４１ｖは、第１矩形溝ｓ１の終端に食い込むように圧入されている。又、図４において、第２対向アーム５５の先端部には、バーブ５１ｖ（図４参照）が形成されている。バーブ５１ｖは、第３矩形溝ｓ３の始端に食い込むように圧入されている。
【００８２】
図３又は図４において、第１固定アーム４１及び第１対向アーム４５は、ハウジング２の底部に係止している。又、第２固定アーム５１及び第２対向アーム５５は、ハウジング２の底部に係止している。このように、第１固定アーム４１及び第２固定アーム５１の両端は、ハウジング２に固定されている。
【００８３】
図１１又は図１２に示されるように、第３弾性アーム４６と第１弾性アーム４２とは、２本のアームによって向かい合った方向に接触力を加える音叉形をした、いわゆる音叉形コンタクトとなっている。同様に、第４弾性アーム５６と第２弾性アーム５２とは、２本のアームによって向かい合った方向に接触力を加える音叉形をした、いわゆる音叉形コンタクトとなっている。
【００８４】
図１１又は図１２において、第１弾性アーム４２及び第２弾性アーム５２の各先端部には、接点となる突起４２ｓ・５２ｓを設けている。又、第３弾性アーム４６及び第４弾性アーム５６の各先端部には、接点となる突起４６ｓ・５６ｓを設けている。突起４２ｓと突起４６ｓは対向している。突起５２ｓと突起５６ｓは対向している。
【００８５】
図１３に示されるように、第１係合アーム４４は、第１弾性アーム４２と相反する向きに片持ち梁状に段差２２に突出している。第１カム部３４は、隅部が円弧で形成された略直角三角形の板カムとなっている。第１カム部３４は、カバー３を閉じると第１係合アーム４４を第１対向アーム４５から離反する方向に押し、カバー３を開くと（図１１参照）、第１係合アーム４４が追従する第１カム面（輪郭）を設けている。
【００８６】
図１４に示されるように、第２係合アーム５４は、第２弾性アーム５２と相反する向きに片持ち梁状に段差２２に突出している。第２カム部３５は、隅部が円弧で形成された略直角三角形の板カムとなっている。第２カム部３５は、カバー３を閉じると第２係合アーム５４を段差２２の底面２２ａから離反する方向に押し、カバー３を開くと（図１２参照）、第２係合アーム５４が追従する第１カム面（輪郭）を設けている。
【００８７】
図１から図４において、第１対向アーム４５は、第１リード部４５ａを先端部に有している。第２固定アーム５１は、第２リード部５１ａを先端部に有している。第１リード部４５ａは、ハウジング２の段差２２からＦＰＣ１の挿入方向に延出している。第１リード部４１ａの底面は、プリント基板１ｐにハンダ接合される。第２リード部５１ａは、ハウジング２の開口２１からＦＰＣ１の反挿入方向に延出している。第２リード部５１ａの底面は、プリント基板１ｐにハンダ接合される。つまり、コネクタ１０は、プリント基板１ｐに表面実装されるプリント基板用コネクタを実現している。
【００８８】
次に、本発明によるコネクタの動作及び作用を説明する。図１１及び図１２において、カバー３は、開姿勢を維持している。カバー３の第１カム部３４は、仮想の回転中心Ｑを有している。カバー３の第２カム部３５は、仮想の回転中心Ｒを有している。仮想の回転中心Ｑと仮想の回転中心Ｒとは、一致してよく、カバー３が回動することによって、僅かにずれてもよく、互いに独立した関係になっている。
【００８９】
図１１において、第１カム部３４は、その短辺が第１係合アーム４４と第１対向アーム４５との間に介在している。そして、カバー３を閉じると、第１カム部３４は、その回転中心Ｑをほとんど変動することなく、その長辺が第１係合アーム４４と第１対向アーム４５との間に介在している（図１３参照）。したがって、第１カム部３４は、第１係合アーム４４を第１対向アーム４５から遠ざかる方向に移動させる（図１３参照）。
【００９０】
同様に、図１２において、第２カム部３５は、その短辺が第２係合アーム５４と段差２２の底面２２ａとの間に介在している。そして、カバー３を閉じると、第２カム部３５は、その回転中心Ｒをほとんど変動することなく、その長辺が第２係合アーム５４と段差２２の底面２２ａとの間に介在している（図１４参照）。したがって、第２カム部３５は、第２係合アーム５４を段差２２の底面２２ａから遠ざかる方向に移動させる（図１４参照）。
【００９１】
図１１及び図１２に示されるように、カバー３を開くと、第１及び第２カム面は第１係合アーム４４及び第２係合アーム５４の弾性復帰に追従して、第１弾性アーム４２及び第２弾性アーム５２の先端部を第３弾性アーム４６及び第４弾性アーム５６に対して開いている。そして、ＦＰＣを無負荷で挿入できる。
【００９２】
図１３及び図１４に示されるように、カバー３を閉じると、第１及び第２カム面が第１係合アーム４４及び第２係合アーム５４を押して第１弾性アーム４２及び第２弾性アーム５２を傾けることができる。つまり、第１連結脚４３及び第２連結脚５３が弾性変形して、第１弾性アーム４２及び第２弾性アーム５２の先端部を第３弾性アーム４６及び第４弾性アーム５６に対して閉じることができる。そして、ＦＰＣ１を挟持できる（図１５及び図１６参照）。
【００９３】
図１３及び図１４において、第１弾性アーム４２及び第２弾性アーム５２と第１係合アーム４４及び第２係合アーム５４とは一体に傾いてよく、第１連結脚４３及び第２連結脚５３を支点としてよく、第１係合アーム４４及び第２係合アーム５４を力点としてよく、第１弾性アーム４２及び第２弾性アーム５２の先端部を作用点とすることができる。カバー３を開くと、第１連結脚４３及び第２連結脚５３が弾性復帰して第１弾性アーム４２及び第２弾性アーム５２の先端部を第３弾性アーム４６及び第４弾性アーム５６に対して開くことができる。そして、ＦＰＣ１を無負荷で挿入できる（図１参照）。
【００９４】
このように、本発明の実施形態によるコネクタ１０は、カバー３に設けられた仮想の開閉軸を第１コンタクト４と第２コンタクト５とで交互に保持しているので、仮想の開閉軸が軸方向の中央部で容易に弾性変形しない。すなわち、多極のコネクタであっても、カバーが容易に脱落しないバックフリップタイプのＦＰＣ用のコネクタを提供できる。
【００９５】
又、図１１及び図１２において、カバー３を開いた状態で、カバー３を遠心方向に引くと、第１カム部３４及び第２カム部３５が第１係合アーム４４及び第２係合アーム５４に当接して、カバー３の離脱が阻止される。カバー３を押すと、第１カム部３４及び第２カム部３５が第１対向アーム４５及び段差２２の底面２２ａに当接してカバー３の離脱が阻止される。
【００９６】
カバー３を開いた状態から閉じる過程では、突部４５ｂが第１カム部３４を離間困難に阻止すると共に、鉤部５４ａが第２カム部３５を離間困難に阻止するので、カバー３は回転する運動のみが許容される。
【００９７】
そして、図１５及び図１６に示されるように、カバー３を閉じた状態で、カバー３を遠心方向に引くと、突部４５ｂが第１カム部３４を離間困難に阻止すると共に、鉤部５４ａが第２カム部３５を離間困難に阻止するので、カバー３の離脱が阻止される。
【００９８】
このように、本発明の実施形態によるコネクタ１０は、カバー３が第１コンタクト４の突部４５ｂと第２コンタクト５の鉤部５４ａとで離間困難に交互に保持される仮想の回動軸を有しているので、従来のような、バックフリップカバーの回動中心の両翼を回動可能に支持する一対の補強部材を不要とするコネクタを提供できる。
【００９９】
図１５は、ＦＰＣ１を挿入して、カバー３を完全に閉じた状態図である。図１５において、第３弾性アーム４６と第１弾性アーム４２との間にＦＰＣ１が挿入されて、カバー３を閉じると、第１弾性アーム４２には、時計方向に回転する力が作用する。ここで、第１弾性アーム４２は、基端部から先端部に向けて、断面２次モーメントが漸次、低減するようにその形状が決定されている。したがって、第１弾性アーム４２の先端部が撓み、突起４２ｓは所定の圧力（接触力）をＦＰＣ１に付与できる。
【０１００】
図１６において、第４弾性アーム５６と第２弾性アーム５２との間にＦＰＣ１が挿入されて、カバー３を閉じると、第２弾性アーム５２には、時計方向に回転する力が作用する。ここで、第２弾性アーム５２は、基端部から先端部に向けて、断面２次モーメントが漸次、低減するようにその形状が決定されている。したがって、第２弾性アーム５２の先端部が撓み、突起５２ｓは所定の圧力（接触力）をＦＰＣ１に付与できる。
【０１０１】
図１５及び図１６において、突起４２ｓと突起４６ｓのいずれか一方をＦＰＣ１に接続する接点としてよく、突起５２ｓと突起５６ｓのいずれか一方をＦＰＣ１に接続する接点にできる。例えば、突起４２ｓと突起５２ｓを接点としてよく、コネクタ１０を片面ＦＰＣ用のコネクタとすることができ、突起４６ｓと突起５６ｓを接点としてよく、コネクタ１０を片面ＦＰＣ用のコネクタとすることができる。
【０１０２】
本発明によるコネクタは、バックフリップカバーの仮想の開閉軸を第１コンタクトの第１係合アームと第２コンタクトの第２係合アームとで交互に保持しているので、仮想の開閉軸が軸方向の中央部で容易に弾性変形しない。すなわち、多極のコネクタであっても、ロックカバーが容易に脱落しないバックフリップタイプのＦＰＣ用のコネクタを提供できる。
【０１０３】
又、本発明によるコネクタは、バックフリップカバーが第１コンタクトの突部と第２コンタクトの鉤部とで交互に保持される仮想の回動軸を有しているので、従来のような、ロックカバーの回動中心の両翼を回動可能に支持する一対の補強部材を不要とするコネクタを提供できる。
【０１０４】
更に、本発明によるコネクタは、複数の第１及び第２リード部がプリント基板にハンダ接合されることによって、このコネクタがプリント基板に表面実装されるプリント基板用コネクタを実現している。
【０１０５】
次に、このように構成されたコネクタ１０の組み立て方法を説明する。コネクタ１０は、以下の第１工程Ｋ１から第４工程Ｋ４を含む手順で組み立てられる。
【０１０６】
最初に、図１７において、第１固定アーム４１を段差２２からＦＰＣ１の反挿入方向に挿入して、複数の第１コンタクト４をハウジング２に完全に組み込む（第１工程Ｋ１）。第１工程Ｋ１では、第１コンタクト４は、段差２２側から開口２１に向かって第１矩形溝ｓ１に圧入される（図３参照）。
【０１０７】
次に、図１８に示されるように、第２対向アーム５５をハウジング２の開口２１からＦＰＣ１の挿入方向に挿入して、第２係合アーム５４が段差２２に僅かに突出する程度に第２コンタクト５をハウジング２に仮挿入する（第２工程Ｋ２）。
【０１０８】
次に、図１９において、ハウジング２に対してカバー３が開いた状態を維持しながら、カバー３を移動すると、第１カム部３４が突部４５ｂを乗り越えると共に第１係合アーム４４を弾性変形させて、図２０に示されるように、第１カム部３４を第１コンタクト４に係合させる（第３工程Ｋ３）。
【０１０９】
図２０に示された第３工程Ｋ３の状態から、ハウジング２に対してカバー３が開いた状態を維持しながら、第２コンタクト５をハウジング２の開口２１からＦＰＣ１の挿入方向に更に挿入する（第４工程Ｋ４）。第４工程Ｋ４では、第２係合アーム５４が弾性変形して鉤部５４ａが第２カム部３５を乗り越えて、第２カム部３５を第２コンタクト５に係合させる（図１２参照）。
【０１１０】
このように組み立てられたコネクタ１０は、カバー３が第１コンタクト４の突部４５ｂと第２コンタクト５の鉤部５４ａとで離間困難に交互に保持される仮想の回動軸を有するコネクタ１０を容易に組み立てることができる。
【図面の簡単な説明】
【０１１１】
【図１】本発明によるＦＰＣ用のコネクタの一実施形態を示す斜視外観図であり、バックフリップカバーが開いた状態を開口側から観ている。
【図２】前記実施形態によるコネクタを示す斜視外観図であり、バックフリップカバーが開いた状態を段差側から観ている。
【図３】前記実施形態によるコネクタの斜視断面図であり、第１コンタクトの側面を断面としている。
【図４】前記実施形態によるコネクタの斜視断面図であり、第２コンタクトの側面を断面としている。
【図５】前記実施形態によるコネクタの斜視断面図であり、第１コンタクトの側面を図３と異なる方向から観ている。
【図６】前記実施形態によるコネクタの斜視断面図であり、第２コンタクトの側面を図４と異なる方向から観ている。
【図７】前記実施形態によるコネクタを示す斜視外観図であり、バックフリップカバーが閉じた状態を開口側から観ている。
【図８】前記実施形態によるコネクタを示す斜視外観図であり、バックフリップカバーが閉じた状態を段差側から観ている。
【図９】前記実施形態によるコネクタの背面図である。
【図１０】前記実施形態によるコネクタの平面図である。
【図１１】前記実施形態によるコネクタの縦断面図であり、第１コンタクトの側面を断面として、バックフリップカバーが開いた状態図である。
【図１２】前記実施形態によるコネクタの縦断面図であり、第２コンタクトの側面を断面として、バックフリップカバーが開いた状態図である。
【図１３】前記実施形態によるコネクタの縦断面図であり、第１コンタクトの側面を断面として、バックフリップカバーが閉じた状態図である。
【図１４】前記実施形態によるコネクタの縦断面図であり、第２コンタクトの側面を断面として、バックフリップカバーが閉じた状態図である。
【図１５】前記実施形態によるコネクタの縦断面図であり、第１コンタクトの側面を断面として、ＦＰＣが挿入されてバックフリップカバーが閉じた状態図である。
【図１６】前記実施形態によるコネクタの縦断面図であり、第２コンタクトの側面を断面として、ＦＰＣが挿入されてバックフリップカバーが閉じた状態図である。
【図１７】前記実施形態によるコネクタの縦断面図であり、第１コンタクトが完全に挿入された第１工程の状態図である。
【図１８】前記実施形態によるコネクタの縦断面図であり、第２コンタクトが仮挿入された第２工程の状態図である。
【図１９】前記実施形態によるコネクタの縦断面図であり、第１カム部を第１コンタクトに係合させる第３工程の前の状態図である。
【図２０】前記実施形態によるコネクタの縦断面図であり、第１カム部を第１コンタクトに係合させる第３工程の前の状態図である。
【符号の説明】
【０１１２】
１  ＦＰＣ
２  ハウジング
３  バックフリップカバー（カバー）
４  第１コンタクト
５  第２コンタクト
１０  コネクタ
２１  開口
２２  段差
２２ａ  段差の底面
３４  第１カム部
３５  第２カム部
４１・５１  第１及び第２固定アーム
４２・５２  第１及び第２弾性アーム
４３・５３  第１及び第２連結脚
４４・５４  第１及び第２係合アーム
４５・５５  第１及び第２対向アーム
４５ｂ  突部
５４ａ  鉤部
【図１】
2009277398.tif 000003
【図２】
2009277398.tif 000004
【図３】
2009277398.tif 000005
【図４】
2009277398.tif 000006
【図５】
2009277398.tif 000007
【図６】
2009277398.tif 000008
【図７】
2009277398.tif 000009
【図８】
2009277398.tif 000010
【図９】
2009277398.tif 000011
【図１０】
2009277398.tif 000012
【図１１】
2009277398.tif 000013
【図１２】
2009277398.tif 000014
【図１３】
2009277398.tif 000015
【図１４】
2009277398.tif 000016
【図１５】
2009277398.tif 000017
【図１６】
2009277398.tif 000018
【図１７】
2009277398.tif 000019
【図１８】
2009277398.tif 000020
【図１９】
2009277398.tif 000021
【図２０】
2009277398.tif 000022